(57)【要約】【課題】出入口の幅を広くできて安価な組立ハウス用のサッシユニットを提供する。【解決手段】本サッシユニット３は、組立ハウス１の一対の柱２間に落とし込んで用いられて一対の柱２で支持される枠状のサッシ枠５と、最も内側に配置された移動可能な第１の障子６と、第１の障子６よりも外側に配置された移動可能な第２の障子７と、第２の障子７よりも外側に配置されてサッシ枠５の左側に固定された第３の障子８とを含む。第１の障子６の左縦枠１０の外側面１０ａには、煙返し２７およびシール部材２８が設けられ、第２の障子７の右縦枠１６の内側面１６ｂには、煙返し３２および対向面３３が設けられる。第２の障子７の左縦枠１７の外側面１７ａには、煙返し２７およびシール部材２８が設けられ、第３の障子８の右縦枠２２の内側面２２ｂには、煙返し３２および対向面３３が設けられる。【選択図】  図７
2007138476.tif 000002
【特許請求の範囲】
【請求項１】
組立ハウスの一対の柱間に落とし込んで用いられる出入口用のサッシユニットであって、
両側が一対の柱で支持される枠状のサッシ枠と、
サッシ枠に嵌められる３つの障子とを備え、
これら障子は、最も内側に配置された移動可能な第１の障子と、第１の障子よりも外側に配置された移動可能な第２の障子と、第２の障子よりも外側に配置されてサッシ枠の左側に固定された第３の障子と、を含み、
各障子は、上下に延びる右縦枠および左縦枠と、左右に延びる横枠とを有し、
第１の障子の左縦枠の外側面には、煙返しおよびシール部材が設けられ、
第２の障子の右縦枠の内側面には、第１の障子の上記煙返しおよびシール部材に対向する煙返しおよび対向面が設けられ、
第２の障子の左縦枠の外側面には、煙返しおよびシール部材が設けられ、
第３の障子の右縦枠の内側面には、第２の障子の上記煙返しおよびシール部材に対向する煙返しおよび対向面が設けられ、
開かれた状態では、各障子の左縦枠が前後に並び、
閉じられた状態では、
第３の障子の右縦枠と、第２の障子の左縦枠とが前後に隣接して配置され、第３の障子の右縦枠の煙返しと、第２の障子の左縦枠の煙返しとが、互いに対向して配置され、第２の障子の左縦枠のシール部材が第３の障子の右縦枠の内側面と当接し、
第２の障子の右縦枠と、第１の障子の左縦枠とが前後に隣接して配置され、第２の障子の右縦枠の煙返しと、第１の障子の左縦枠の煙返しとが、互いに対向して配置され、第１の障子の左縦枠のシール部材が第２の障子の右縦枠の内側面と当接し、
障子を閉じる際には、第１の障子の左縦枠の外側面の煙返しと、第２の障子の右縦枠の内側面の煙返しとが互いに係合して、第１および第２の障子が連動することを特徴とする組立ハウス用のサッシユニット。
【請求項２】
請求項１に記載の組立ハウス用のサッシユニットにおいて、
上記第１の障子の縦枠は、片引きタイプまたは両引きタイプの引き戸の移動可能な障子の縦枠用の型材が利用され、
上記第２の障子の縦枠は、両引きタイプの引き戸の移動可能な障子の縦枠用の型材が利用され、
上記第３の障子の縦枠は、片引きタイプの引き戸の固定された障子の縦枠用の型材が利用されたことを特徴とする組立ハウス用のサッシユニット。
【請求項３】
請求項１または２に記載の組立ハウス用のサッシユニットにおいて、
上記第１の障子は、第２の障子よりも左右方向に所定長大きく、
上記第２の障子は、第３の障子よりも左右方向に所定長大きいことを特徴とする組立ハウス用のサッシユニット。
【請求項４】
請求項１から３の何れか１項に記載の組立ハウス用のサッシユニットにおいて、
上記第２の障子の左縦枠の内側面には、第１の障子の左縦枠と当接する当接部材が設けられ、第１の障子を開ける際に、第１の障子と当接部材とが互いに当たって、第１の障子と第２の障子とが連動して開くようにされていることを特徴とする組立ハウス用のサッシユニット。
【発明の詳細な説明】
【技術分野】
【０００１】
この発明は、組立ハウス用のサッシユニットに関する。
【背景技術】
【０００２】
組立ハウスは、壁面を構成するための複数のパネルと、複数の柱とが組み合わされて作られる（例えば、特許文献１参照。）。組立ハウスに出入口を設ける場合は、出入口用のサッシユニットを用いる。このサッシユニットは、互いに対向する一対の溝形の柱の間に落とし込まれることにより取り付けられ、サッシユニットの左右両側部分が対応する柱により支えられる。
【０００３】
出入口用のサッシユニットは、枠状のサッシ枠と、このサッシ枠に取り付けられた２枚の障子とを有している。いずれか一方または両方の障子が、サッシ枠に対して左右に移動可能とされていて、引き戸として機能する。
【特許文献１】特開２００３−１４８０５３号公報
【発明の開示】
【発明が解決しようとする課題】
【０００４】
ところで、左右方向についての出入口の開口の幅を、広くしたいという要請がある。
しかし、サッシユニットが２枚の障子を有すると、出入口の開口の幅は、組立ハウスの一対の柱間の間隔の半分未満の値でしか確保できない。従って、出入口の幅を広く確保できないことがある。
また、出入口の幅を広くしようとして、組立ハウスの一対の柱の間隔を広くすることも考えられる。組立ハウスの柱の間隔は、通例、予め決められた所定値に設定されるので、この所定値と異なる値の間隔で配置された柱に支持されるサッシユニットは、この柱の間隔に対応した高価な特注品になる。また、組立ハウス用の安価な標準的なサッシユニット、パネル等を利用できず、組立ハウス全体としても高価になる。
【０００５】
そこで、この発明の目的は、出入口の開口の幅を広くできて安価な組立ハウス用のサッシユニットを提供することである。
【課題を解決するための手段】
【０００６】
本発明の組立ハウス用のサッシユニットは、組立ハウスの一対の柱間に落とし込んで用いられる出入口用のサッシユニットであって、両側が一対の柱で支持される枠状のサッシ枠と、サッシ枠に嵌められる３つの障子とを備え、これら障子は、最も内側に配置された移動可能な第１の障子と、第１の障子よりも外側に配置された移動可能な第２の障子と、第２の障子よりも外側に配置されてサッシ枠の左側に固定された第３の障子と、を含み、各障子は、上下に延びる右縦枠および左縦枠と、左右に延びる上横枠および下横枠とを有し、第１の障子の左縦枠の外側面には、煙返しおよびシール部材が設けられ、第２の障子の右縦枠の内側面には、第１の障子の上記煙返しおよびシール部材に対向する煙返しおよび対向面が設けられ、第２の障子の左縦枠の外側面には、煙返しおよびシール部材が設けられ、第３の障子の右縦枠の内側面には、第２の障子の上記煙返しおよびシール部材に対向する煙返しおよび対向面が設けられ、開かれた状態では、各障子の左縦枠が前後に並び、閉じられた状態では、第３の障子の右縦枠と、第２の障子の左縦枠とが前後に隣接して配置され、第３の障子の右縦枠の煙返しと、第２の障子の左縦枠の煙返しとが、互いに対向して配置され、第２の障子の左縦枠のシール部材が第３の障子の右縦枠の内側面と当接し、第２の障子の右縦枠と、第１の障子の左縦枠とが前後に隣接して配置され、第２の障子の右縦枠の煙返しと、第１の障子の左縦枠の煙返しとが、互いに対向して配置され、第１の障子の左縦枠のシール部材が第２の障子の右縦枠の内側面と当接し、障子を閉じる際には、第１の障子の左縦枠の外側面の煙返しと、第２の障子の右縦枠の内側面の煙返しとが互いに係合して、第１および第２の障子が連動することを特徴とする。
【０００７】
この発明によれば、サッシユニットの３枚の障子を互いに重ねることで、開いたときの出入口の開口の幅を広く確保することができる。また、開口の幅を広くするのに、サッシユニットの幅、ひいては柱間の間隔を広くせずに、例えば標準的な値を採用できるので、組立ハウスを安価にできる。また、煙返しを、障子の連動用に利用しているので、構造を簡素化できる。煙返し、シール部材、対向部等を有する障子であれば、従来のサッシユニットの障子用の型材を利用することも可能となるので、３枚障子のサッシユニットを安価に製造できる。
【０００８】
また、本発明において、上記第１の障子の縦枠は、片引きタイプまたは両引きタイプの引き戸の移動可能な障子の縦枠用の型材が利用され、上記第２の障子の縦枠は、両引きタイプの引き戸の移動可能な障子の縦枠用の型材が利用され、上記第３の障子の縦枠は、片引きタイプの引き戸の固定された障子の縦枠用の型材が利用されるのが好ましい。この場合、障子を安価に製造できる。
【０００９】
また、本発明において、上記第１の障子は、第２の障子よりも左右方向に所定長大きく、上記第２の障子は、第３の障子よりも左右方向に所定長大きい場合がある。この場合、開いたときに、開口側にある縦枠が左右にずれて配置されるので、閉じるときに利用するための把手を配置するためのスペースを確保し易い。
また、本発明において、上記第２の障子の左縦枠の内側面には、第１の障子の左縦枠と当接する当接部材が設けられ、第１の障子を開ける際に、第１の障子と当接部材とが互いに当たって、第１の障子と第２の障子とが連動して開くようにされている場合がある。この場合、第１の障子に連動して、第２の障子を開くことができて、便利である。
【発明を実施するための最良の形態】
【００１０】
以下では、この発明の実施の形態を、添付図面を参照して詳細に説明する。図１は、本発明の一実施形態の組立ハウスの要部の一部断面斜視図である。
組立ハウス１は、構造材としての複数の柱２と、出入口を構成するサッシユニット３と、板材からなり壁を形成するパネル４とを有している。サッシユニット３は、四角環状をなすサッシ枠５と、サッシ枠５に移動可能に取り付けられて引き戸を構成する３枚の戸部材としての第１、第２および第３の障子６，７，８とを有している。
【００１１】
複数の柱２は、図示しないベース枠の上に所定間隔をあけて立てられていて上下方向Ｚに延びている。各柱２には、案内溝２ａが形成されている。互いに隣接する一対の柱２には、その案内溝２ａが、互いに対向して形成されている。サッシユニット３のサッシ枠５が、隣接する一対の柱２，２間に、その一対の案内溝２ａに上方から落とし込まれて取り付けられている。
【００１２】
なお、以下の説明では、隣接する一対の柱２が並ぶ方向を左右方向Ｘとし、上下方向Ｚおよび左右方向Ｘと直交する方向を前後方向Ｙ１，Ｙ２とする。また、屋外側（以下、外側ともいう。）を前方Ｙ１とし、室内側（以下、内側ともいう。）を後方Ｙ２とする。また、左右については、屋外側からみた状態を基準として説明する。
柱２は、溝形材、例えば、リップ溝形鋼を用いられている。柱２は、互いに対向する一対のフランジ２ｂと、この一対のフランジ２ｂと逆向きに延びていて互いに対向する一対のフランジ２ｃと、２対のフランジ２ｂ，２ｃの基端部を接続するウェブ２ｄとを有している。各フランジ２ｂ，２ｃの先端に屈曲状にリップ２ｅが形成されていて、対をなすフランジ２ｂ，２ｃのリップ２ｅ同士は、互いに接近するように延びている。
【００１３】
柱２は、パネル４およびサッシユニット３を落とし込むための２つの上述の案内溝２ａを区画している。２つの案内溝２ａは、互いに逆向きに開放されている。各案内溝２ａは、対応する一対のフランジ２ｂ，２ｃとウェブ２ｄと一対のリップ２ｅとにより区画され、案内溝２ａの入口開口が一対のリップ２ｅの間に形成され、所定幅で上下に延びている。なお、柱２の溝形材としては、リップ溝形鋼の他、Ｃ型チャンネル鋼を例示でき、この他、案内溝２ａを有する部材であればよく、例えば、断面Ｈ字形形状の部材でもよい。
【００１４】
本実施形態の出入口用のサッシユニット３は、組立ハウス１の一対の柱２間に落とし込んで用いられる落とし込み式のサッシユニット３である。サッシユニット３は、両側が一対の柱２で支持される枠状のサッシ枠５と、サッシ枠５に嵌められる３つの障子、すなわち、第１，第２および第３の障子６，７，８とを備えている。
第１の障子６は、最も内側（室内側）に配置され、左右方向に沿ってスライド移動可能である。第２の障子７は、第１の障子６よりも外側（屋外側）に配置され、左右方向に沿ってスライド移動可能である。第３の障子８は、第２の障子７よりも外側（屋外側）に配置され、サッシ枠５の左側部分にねじ止めにより固定されている。
【００１５】
サッシ枠５は、対応する柱２の案内溝２ａ内へ上方から落とし込んで上下にスライドさせて装着可能な一対のスライド部５ａを有している。このスライド部５ａは、具体的には、サッシ枠５の右側縁部および左側縁部により構成されている。
図２は、図１に示すサッシユニット３の外側から見たときの正面図であり、閉じた状態を図示されている。図３は、図１に示すサッシユニット３の外側から見たときの正面図であり、開ける途中の状態を図示されている。図４は、図１に示すサッシユニット３の外側から見たときの正面図であり、完全に開けられた状態を図示されている。図５は、図１に示すサッシユニット３の外側から見たときの正面図であり、閉じる途中の状態を図示されている。
【００１６】
図４を参照して、サッシ枠５は、正面視で矩形をなしている。サッシ枠５と第１の障子６とにより区画される内側に、出入口となる開口５ｂを区画する。この開口５ｂは、図２に示すように、上述の３枚の障子６，７，８により覆うことができ、図３〜図５に示すように、開閉することができる。
図６は、図１に示すサッシユニット３の分解図であり、外側から見たときの正面視で図示されている。図６を参照して、サッシ枠５の左右方向の内法寸法Ｌ１０は、第１の障子６の左右方向寸法Ｌ１と第２の障子７の左右方向寸法Ｌ２と第３の障子８の左右方向寸法Ｌ３との総和（Ｌ１＋Ｌ２＋Ｌ３）よりも小さく（Ｌ１０＜（Ｌ１＋Ｌ２＋Ｌ３））されている。
【００１７】
例えば、第１の障子６の左右方向の幅Ｌ１は６４７ｍｍに形成されている。第２の障子７の左右方向の幅Ｌ２は５８１ｍｍに形成されている。第３の障子８の左右方向の幅Ｌ３は５３１ｍｍに形成されている。第１の障子６は、第２の障子７よりも左右方向に所定長大きく形成されている（Ｌ１＞Ｌ２）。第２の障子７は、第３の障子８よりも左右方向に所定長大きく形成されている（Ｌ２＞Ｌ３）。
【００１８】
第１の障子６は、上下方向に沿って延びる縦枠としての右縦枠９および左縦枠１０と、左右方向に沿って延びる横枠としての上横枠１１、中横枠１２および下横枠１３と、これらの枠９，１０，１１，１２，１３により保持された板部材１４と、右縦枠９に固定された把手１５とを有している。
第２の障子７は、上下方向に沿って延びる縦枠としての右縦枠１６および左縦枠１７と、左右方向に沿って延びる横枠としての上横枠１８、中横枠１９および下横枠２０と、これらの枠１６，１７，１８，１９，２０により保持された板部材２１とを有している。
【００１９】
第３の障子８は、上下方向に沿って延びる縦枠としての右縦枠２２および左縦枠２３と、左右方向に沿って延びる横枠としての中横枠２４および下横枠２５と、これらの枠２２，２３，２４，２５に保持された板部材２６とを有している。
各障子６，７，８の板部材１４，２１，２６は、例えば透明、または不透明なガラス板であってもよいし、金属、合成樹脂、木材等の板材であってもよい。
【００２０】
第１の障子６の各枠９，１０，１１，１２，１３、第２の障子７の各枠１６，１７，１８，１９，２０、および第３の障子８の各枠２２，２３，２４，２５は、アルミニウム合金を押出成形されてなる棒状部材を用い、この棒状部材に所要の加工を施されてなる。
本実施形態では、第１の障子６の縦枠９，１０には、片引きタイプの引き戸の移動可能な障子の縦枠用の型材（図示せず）が利用されている。この型材と第１の障子６の縦枠９，１０とは、断面形状が互いに同形状である。なお、第１の障子６の縦枠９，１０には、片引きタイプの引き戸に代えて両引きタイプの引き戸の移動可能な障子の縦枠用の型材（図示せず）が利用されてもよい。
【００２１】
第２の障子７の縦枠１６，１７には、両引きタイプの引き戸の移動可能な障子の縦枠用の型材（図示せず）が利用されている。この型材と第２の障子７の縦枠１６，１７とは、断面形状が互いに同形状である。
第３の障子８の縦枠２２，２３には、片引きタイプの引き戸の固定された障子の縦枠用の型材（図示せず）が利用されている。この型材と第３の障子８の縦枠２２，２３とは、断面形状が互いに同形状である。
【００２２】
図７は、図１に示すサッシユニット３の平面視での断面図であり、柱２も図示されている。なお、図７では、一部の部品にのみハッチングを施して図示している。図８は、図７に示すサッシユニット３の第１の要部Ａの平面視での断面図である。図９は、図７に示すサッシユニット３の第２の要部Ｂの平面視での断面図である。先ず、図７および図８を参照する。  
【００２３】
第１の障子６の左縦枠１０の外側面１０ａには、煙返し２７およびシール部材２８が設けられている。第１の障子６の左縦枠１０の外側面１０ａは、左右方向の中間部に配置された主体部２９と、外側面１０ａの右側縁部に沿って配置されて主体部２９から前方に突出する煙返し２７と、外側面１０ａの左側縁部に沿って配置されて主体部２９から前方に突出して配置された鉤部３０と、この鉤部３０の前面に形成されてシール部材２８を保持する保持部としての凹条３１とを有している。
【００２４】
第２の障子７の右縦枠１６の内側面１６ｂには、第１の障子６の煙返し２７に対向する煙返し３２が設けられ、また、第１の障子６のシール部材２８に対向する対向面３３が設けられている。第２の障子７の右縦枠１６の内側面１６ｂは、左右方向の中間部に配置された主体部３４と、内側面１６ｂの右側縁部に沿って配置されて主体部３４から後方に突出する上述の煙返し３２と、内側面１６ｂの左側縁部に沿って配置されて主体部３４よりも後方に位置する上述の対向面３３とを有している。対向面３３は、左右方向の所定幅で上下方向に延びる平面により形成されている。
【００２５】
第１の障子６に配置された一方の煙返し２７は、平面視で断面鉤形状をなし、上下方向に沿って延びていて、第１の障子６の左縦枠１０に一体に形成されている。一方の煙返し２７は、第１の障子６の左縦枠１０の外側面１０ａの主体部２９から前方に突出する基部２７ａと、この基部２７ａの先端から右方へ延びる延設部２７ｂと、主体部２９、基部２７ａおよび延設部２７ｂにより区画される凹部２７ｃとを有する。
【００２６】
第２の障子７に配置された他方の煙返し３２は、平面視で断面鉤形状をなし、上下方向に沿って延びていて、第２の障子７の右縦枠１６に一体に形成されている。他方の煙返し３２は、第２の障子７の右縦枠１６の内側面１６ｂの主体部３４から後方に突出する基部３２ａと、基部３２ａの先端から左方へ延びる延設部３２ｂと、主体部３４、基部３２ａおよび延設部３２ｂにより区画される凹部３２ｃとを有する。
【００２７】
一方の煙返し２７の延設部２７ｂと、他方の煙返し３２の延設部３２ｂとは、互いに逆向きに互いに近づくように延びている。閉じた状態では、一方の煙返し２７の延設部２７ｂが他方の煙返し３２の凹部３２ｃ内に入り込むとともに、他方の煙返し３２の延設部３２ｂが一方の煙返し２７の凹部２７ｃ内に入り込むことにより、室内側への煙の侵入を防止するためのラビリンスを形成している。
【００２８】
鉤部３０は、第１の障子６の左縦枠１０の外側面１０ａの主体部２９から前方に突出して、上下方向に沿って延びている。凹条３１は、鉤部３０に断面蟻溝形状をなして上下方向に延びて形成され、前方に開放されている。凹条３１にシール部材２８が嵌め込まれて取り付けられている。
シール部材２８は、凹条３１に嵌め込まれた板状をなす基部と、基部の板面から突出しシールリップを形成する２つの凸条とを有している。２つの凸条が左右に並び、各凸条が前方に突出して上下方向に延びるように、シール部材２８は凹条３１に配置されている。閉じた状態で、２つの凸条の先端が、第２の障子７の右縦枠１６の内側面１６ｂの対向面３３に当接するようになっている。
【００２９】
図７および図９を参照して、第２の障子７の左縦枠１７の内側面１７ｂには、第１の障子６の左縦枠１０の左側面に当接する当接部材３５が設けられている。この当接部材３５は、合成樹脂部材であり、左縦枠１７に、例えばねじ止めにより固定されている。
第２の障子７の左縦枠１７の外側面１７ａには、煙返し２７およびシール部材２８が設けられている。煙返し２７は、第２の障子７の左縦枠１７の外側面１７ａの右側縁部に沿って配置されている。第２の障子７の左縦枠１７の外側面１７ａは、左右方向の中間部に配置された主体部２９と、外側面１７ａの右側縁部に沿って配置されて主体部２９から前方に突出する煙返し２７と、外側面１７ａの左側縁部に沿って配置されて主体部２９から前方に突出して配置された鉤部３０と、この鉤部３０の前面に形成されてシール部材２８を保持する保持部としての凹条３１とを有している。
【００３０】
第３の障子８の右縦枠２２の内側面２２ｂには、第２の障子７の左縦枠１７に設けられた上記煙返し２７に対向する煙返し３２が設けられていて、また、第２の障子７の左縦枠１７に設けられたシール部材２８に対向する対向面３３が設けられている。第３の障子８の右縦枠２２の内側面２２ｂは、左右方向の中間部に配置された主体部３４と、内側面２２ｂの右側縁部に沿って配置されて主体部３４から後方に突出する煙返し３２と、内側面２２ｂの左側縁部に沿って配置されて主体部３４よりも後方に位置する上述の対向面３３とを有している。対向面３３は、左右方向の所定幅で上下方向に延びる平面により形成されている。
【００３１】
図９に示す要部Ｂの構成と、上述した図８に示す要部Ａの構成とは、互いに同様に構成されている。構成Ｂについては、図９の対応する部分に図８と同様の符号を付して、詳細な説明は省略する。ここで、要部Ｂの構成は、第２の障子７の左縦枠１７の外側面１７ａに設けられた煙返し２７およびシール部材２８と、第３の障子８の右縦枠２２の内側面２２ｂに設けられた煙返し３２および対向面３３とを含んでいる。要部Ａの構成は、第１の障子６の左縦枠１０の外側面１０ａに設けられた煙返し２７およびシール部材２８と、第２の障子７の右縦枠１６の内側面１６ｂに設けられた煙返し３２および対向面３３とを含んでいる。
【００３２】
図７および図９を参照して、閉じられた状態では、第３の障子８の右縦枠２２と、第２の障子７の左縦枠１７とが前後に隣接して配置されている。第３の障子８の右縦枠２２の煙返し３２と、第２の障子７の左縦枠１７の煙返し２７とが、互いに対向して配置されている。第２の障子７の左縦枠１７のシール部材２８が第３の障子８の右縦枠２２の内側面２２ｂの対向面３３に当接している。
【００３３】
図７および図８を参照して、閉じられた状態では、第２の障子７の右縦枠１６と、第１の障子６の左縦枠１０とが前後に隣接して配置されている。第２の障子７の右縦枠１６の煙返し３２と、第１の障子６の左縦枠１０の煙返し２７とが、互いに対向して配置されている。第１の障子６の左縦枠１０のシール部材２８が第２の障子７の右縦枠１６の内側面１６ｂの対向面３３に当接している。
【００３４】
図２および図３を参照して、開口５ｂを開けるには、第１の障子６を左方へ移動させる。この際、図３に示すように、第１および第２の障子６，７の大部分が互いに前後に重なるようになるまで第１の障子６を移動させると、第１の障子６と当接部材３５（図６参照）とが互いに当たって、第１の障子６と第２の障子７とが連動して開くようになる。第１の障子６をさらに左方へ移動させると、第２の障子７も連れて左方へ移動し、図４に示すように、第１および第２の障子６，７の移動範囲の左側の端に達すると、開口５ｂが全開状態になる。
【００３５】
図４を参照して、開かれた状態では、各障子６，７，８の左縦枠１０，１７，２３が前後に並んでいて、各障子６，７，８の大部分が互いに重なり合っていて、各障子６，７，８の互いに重なり合った部分の面積が最大となる。開いた状態では、開口５ｂは、サッシ枠５の右側の縦枠５ｃと、第１の障子６の右縦枠９との間に区画される。
また、開いた状態では、第１の障子６の左縦枠１０は、当接部材３５（図７参照）と当接する。第２の障子７の左縦枠１７は、サッシ枠５に固定された当接部材３６（図７参照）と当接する。これにより、第１および第２の障子６，７の左縦枠１０，１７は、サッシ枠５の左側の縦枠５ｄとの間に隙間を開けるようにされている。
【００３６】
また、開いた状態では、各障子６，７，８の右縦枠９，１６，２２は、前後方向に並びつつ、左右方向にずれて配置され、前後方向に沿って見るときに互いに重なりあわないようになっている。第１の障子６の右縦枠９の右側縁部が最も右側に位置する。第２の障子７の右縦枠１６の右側縁部は、第１の障子６の右縦枠９の右側縁部よりも左側に所定距離（例えば１２０ｍｍ）を開けて配置され、さらに、第１の障子６の右縦枠９の左側縁部よりも左側に所定距離（例えば６０ｍｍ）を開けて配置されている。第３の障子８の右縦枠２２の右側縁部は、第２の障子７の右縦枠１６の右側縁部よりも左側に所定距離（例えば８０ｍｍ）を開けて配置され、さらに、第２の障子７の右縦枠１６の左側縁部よりも左側に所定距離（例えば２０ｍｍ）を開けて配置されている。
【００３７】
図４および図５を参照して、障子６，７，８を閉じる際には、第１の障子６を右方へ移動させる。図５に示すように第１の障子６の左縦枠１０が、第２の障子７の右縦枠１６に重なるような位置に達すると、図８を参照して、第１の障子６の左縦枠１０の外側面１０ａの煙返し２７と、第２の障子７の右縦枠１６の内側面１６ｂの煙返し３２とが互いに噛み合い状態で係合して、第１および第２の障子６，７が連動し、右方へ同行して移動する。さらに、第１の障子６を右方へ移動させると、開口５ｂの全閉状態となる。この状態では、図９に示すように、第２の障子７の左縦枠１７の外側面１７ａの煙返し２７と、第３の障子８の右縦枠２２の内側面２２ｂの煙返し３２とが、ラビリンスを構成する。
【００３８】
本実施形態によれば、図５に示すように、サッシユニット３の３枚の障子６，７，８を互いに重ねることで、開いたときの出入口の開口５ｂの幅を広く確保することができる。また、開口５ｂの幅を広くするのに、サッシユニット３の幅（左右方向の外法寸法）、ひいては柱２間の間隔を広くせずに、例えば標準的な値（例えば、対応する一対の柱２の中心間距離としては１８００ｍｍ、１８２０ｍ、１８４０ｍｍ）を採用できるので、組立ハウス１を安価にできる。
【００３９】
具体的には、柱２間の距離に１８００ｍｍを採用した場合であっても、開口５ｂの有効開口、すなわち、左右方向の最大幅を９００ｍｍ以上（例えば９０５ｍｍ）で確保することができる。この最大幅としては、身障者が容易に通過できるようにするには、少なくとも８５０ｍｍを、より好ましくは９００ｍｍ以上の幅を確保することが要望されているが、柱間の距離に標準的な値を採用し、且つ引き違い戸の２枚障子タイプの従来のサッシユニットでは、開口の最大幅を８５０ｍｍ以上の値で確保することができなかった。
【００４０】
また、障子６，７，８を閉じる際には、第１の障子６の左縦枠１０の外側面１０ａの煙返し２７と、第２の障子７の右縦枠１６の内側面１６ｂの煙返し３２とが互いに係合して、第１および第２の障子６，７が連動するようにしている。煙返し２７，３２を、障子６，７の連動用に利用しているので、構造を簡素化できる。
また、煙返し２７，３２、シール部材２８、対向面３３等を有する障子６，７，８であれば、２枚の障子を有する従来のサッシユニットのための障子用の型材を利用することも可能となるので、３枚障子６，７，８の本サッシユニット３を安価に製造できる。２枚障子タイプと３枚障子タイプとのサッシユニット間で、部材を共通化できる。
【００４１】
また、本実施形態では、各障子６，７，８の縦枠９，１０，１６，１７，２２，２３は、２枚障子タイプのサッシユニットの障子の縦枠用の型材が利用されていて、障子６，７，８を、安価に製造できる。さらに、各障子６，７，８の横枠１１，１２，１３，１８，１９，２０，２４，２５は、２枚障子タイプのサッシユニットの障子の横枠用の型材が利用されていて、サッシユニット３を、より一層安価に製造できる。
【００４２】
また、本実施形態では、第１の障子６は、第２の障子７よりも左右方向に所定長大きく、第２の障子７は、第３の障子８よりも左右方向に所定長大きい。この場合、開いたときに、開口５ｂ側にある縦枠９，１６，２２が左右にずれて配置されるので、閉じるときに利用するための把手１５を配置するスペースを確保し易い。また、各障子６，７，８の左右方向寸法を同じにしたときの開口５ｂ側の縦枠が左右にずれて配置される場合に比べて、開口５ｂの最大幅を大きくすることができる。
【００４３】
また、本実施形態では、当接部材３５が設けられている。これにより、第１の障子６に連動して、第２の障子７を開くことができて、便利である。
また、本実施形態について、以下のような変形例を考えることができる。以下の説明では、上述の実施形態と異なる点を中心に説明し、同様の構成については同じ符号を付して説明を省略する。
【００４４】
例えば、上述の実施形態で説明したサッシユニット３を左右反転させた構成のサッシユニットも考えられる。この反転タイプのサッシユニットの場合には、室内側からみたときの左右の関係が、上述の実施形態で説明したサッシユニット３における左右の関係と同じになり、上述の実施形態と同様の作用効果を得ることができる。
また、当接部材３５，３６を廃止することや、各障子６，７，８の左右方向寸法を等しくすることや、障子６，７，８の縦枠９，１０，１６，１７，２２，２３を他のタイプのサッシユニットと共通化しないことも考えられる。その他、特許請求の範囲に記載された事項の範囲で種々の設計変更を施すことが可能である。
【図面の簡単な説明】
【００４５】
【図１】本発明の一実施形態の組立ハウスの要部の一部断面斜視図である。
【図２】図１に示すサッシユニットを外側から見た正面図であり、閉じた状態を示す。
【図３】図１に示すサッシユニットの外側から見た正面図であり、開ける途中の状態を示す。
【図４】図１に示すサッシユニットの外側から見た正面図であり、開けた状態を示す。
【図５】図１に示すサッシユニットの外側から見た正面図であり、閉じる途中の状態を示す。
【図６】図１に示すサッシユニットの分解図であり、外側から見たときの正面視で示す。
【図７】図１に示すサッシユニットの平面視での断面図であり、柱も図示されている。
【図８】図７に示すサッシユニットの要部Ａの平面視での断面図である。
【図９】図７に示すサッシユニットの要部Ｂの平面視での断面図である。
【符号の説明】
【００４６】
１…組立ハウス
２…柱
３…サッシユニット
５…サッシ枠
５ｂ…開口（出入口）
６…第１の障子
７…第２の障子
８…第３の障子
９，１６，２２…右縦枠
１０，１７，２３…左縦枠
１０ａ，１７ａ…外側面
１１，１２，１３，１８，１９，２０，２４，２５…横枠
１６ｂ，１７ｂ，２２ｂ…内側面
２７，３２…煙返し
２８…シール部材
３３…対向面
３５…当接部材
Ｘ…左右方向
Ｚ…上下方向
【図１】
2007138476.tif 000003
【図２】
2007138476.tif 000004
【図３】
2007138476.tif 000005
【図４】
2007138476.tif 000006
【図５】
2007138476.tif 000007
【図６】
2007138476.tif 000008
【図７】
2007138476.tif 000009
【図８】
2007138476.tif 000010
【図９】
2007138476.tif 000011